(57)【特許請求の範囲】
【請求項１】
導通検査が施されるコネクタ本体を保持するコネクタ保持部と、前記コネクタ本体に接続される導通検査用端子が配された検査用ブロックとが相対的に近接移動及び離間移動が可能に設けられると共に、前記コネクタ本体内に収容される端子金具を保持し且つ前記コネクタ本体の側面から埋設された係止用スペーサの、前記コネクタ本体の前記側面からの浮き状態を検知するスペーサ浮き検知部を備えたレバー嵌合式コネクタの導通検査治具であって、
前記コネクタ保持部は、前記コネクタ本体を保持する保持フレームと、前記保持フレーム内で互いに対向するように配置され且つ間に前記コネクタ本体が配置される一対の当接部材とを備え、前記一対の当接部材の少なくとも一方の前記コネクタ本体と当接する面に前記スペーサ浮き検知部が配設され、
前記一対の当接部材は、前記コネクタ本体が前記保持フレームに保持された状態で、前記コネクタ本体の側面に沿って操作用レバーを移動させて装着する際に、前記操作用レバーの移動を許容するように、前記保持フレームに対して相対的に移動可能に設けられていることを特徴とするレバー嵌合式コネクタの導通検査治具。
【請求項２】
請求項１記載のレバー嵌合式コネクタの導通検査治具であって、
前記一対の当接部材は、前記コネクタ本体の側面に対して離間する方向に移動が許容されていることを特徴とするレバー嵌合式コネクタの導通検査治具。
【請求項３】
請求項２記載のレバー嵌合式コネクタの導通検査治具であって、
前記一対の当接部材は、互いに近接する方向へ常時付勢されていることを特徴とするレバー嵌合式コネクタの導通検査治具。
【請求項４】
請求項２又は請求項３に記載のレバー嵌合式コネクタの導通検査治具であって、
前記一対の当接部材のそれぞれの上部に、当該一対の当接部材間に前記コネクタ本体を案内するテーパ面が形成されていることを特徴とするレバー嵌合式コネクタの導通検査治具。
【請求項５】
請求項１記載のレバー嵌合式コネクタの導通検査治具であって、
前記一対の当接部材は、前記コネクタ本体の側面に沿う方向の移動が許容されていることを特徴とするレバー嵌合式コネクタの導通検査治具。
【請求項６】
請求項５記載のレバー嵌合式コネクタの導通検査治具であって、
前記一対の当接部材は、前記コネクタ保持部に対して昇降移動を行い、常時上方へ向けて付勢されていることを特徴とするレバー嵌合式コネクタの導通検査治具。
【請求項７】
請求項１乃至請求項６のいずれかに記載のレバー嵌合式のコネクタの導通検査治具であって、
前記コネクタ保持部に、前記スペーサ浮き検知部に連動するロックアームが前記検査用ブロック側へ向けて突設され、前記スペーサ浮き検知部で前記スペーサの浮き状態が検知されたときに前記ロックアームが前記検査用ブロック側に係当して当該検査用ブロックと前記コネクタ保持部とが互いにロックされることを特徴とするレバー嵌合式コネクタの導通検査治具。
【請求項８】
請求項５又は請求項６に記載のレバー嵌合式コネクタの導通検査治具であって、
前記一対の当接部材は一体的に連結され、前記コネクタ保持部と前記検査用ブロックとが離間した状態で、前記一対の当接部材を前記保持フレームへロックするロック部材を備え、前記ロック部材は、前記コネクタ保持部と前記検査用ブロックとが近接した状態で前記当接部材を解放することを特徴とするレバー嵌合式コネクタの導通検査治具。
【発明の詳細な説明】
【０００１】
【発明の属する技術分野】
この発明はレバー嵌合式コネクタの導通検査治具に関し、さらに詳しくはレバー組み付け機能を備えた導通検査治具に関する。
【０００２】
【従来の技術】
従来、レバー嵌合式コネクタの導通検査治具としては図８に示すようなものがある。この導通検査治具１は、被検査物であるレバー嵌合式コネクタの雌コネクタ本体２の両側面を保持する一対の挟持体３、４と、雌コネクタ本体２を嵌合する導通検査部５とを備えている。挟持体３の雌コネクタ本体２との対向面には、この対向面と垂直をなす方向に出没可能なスペーサ浮き検知部６が設けられている。また、挟持体３には、スペーサ浮き検知部６が雌コネクタ本体２のスペーサの浮きを検知して導通検査部５が一対の挟持体３、４側へ接近するのを阻止するロックアーム７が設けられている。また、導通検査部５には、雌コネクタ本体２を嵌合する凹部５Ａが形成されている。この凹部５Ａの底部には、雌コネクタ本体２に挿入される複数の検査用端子５Ｂが配設されている。
【０００３】
ところで、レバー嵌合式コネクタは、図９に示すように、上記した導通検査治具で導通検査される雌コネクタ本体２と、雌コネクタ本体２を嵌合して雌コネクタ本体２内に装着された図示しない雌端子金具に挿入・接続される複数の雄端子金具８Ａを備えた雄コネクタ８とを備える。雌コネクタ本体２には、操作用レバー９が回動自在に取り付けられる。すなわち、操作用レバー９の両側の壁部９Ａ、９Ａに開口された軸孔９Ｂ、９Ｂと、雌コネクタ本体２の両側面に突設された枢支軸２Ａとが嵌合することにより、操作用レバー９が雌コネクタ本体２に枢支される。この操作用レバー９の先端部を雄コネクタ８に形成されたレバー挿入孔８Ｂ、８Ｂに挿入して回動させることにより、テコの原理で雌コネクタ本体２を雄コネクタ８内に嵌合することができる。また、雌コネクタ本体２の一方の側面には、図９に示すように、雌コネクタ本体２の側面にスペーサ１０が装着されている。このスペーサ１０は、雌コネクタ本体２の端子挿入孔２Ｂに挿入された雌端子金具を雌コネクタ本体２内に保持する構造に寄与するものであり、具体的には雌端子金具のランスが係止される図示しない係止部材を保持して雌端子金具の抜けを防止する機能を有する。
【０００４】
挟持体３、４で挟持された雌コネクタ本体２のスペーサ１０が浮いている状態（雌コネクタ本体２の側面からスペーサ１０が突出している状態）では、雌コネクタ本体２と導通検査部５とが対応する位置にないため、この状態で導通検査部５を雌コネクタ本体２に近接させると、雌コネクタ本体２の適正な位置に検査用端子５Ｂを挿入することができず正常な検査が行えない。このため、上記した導通検査治具１では、挟持体３のスペーサ浮き検知部６が雌コネクタ本体２の側面からスペーサ１０が浮いているか否かを検知し、すなわちスペーサ１０が雌コネクタ本体２の側面から突出しているか否かを検知して、スペーサ１０が側面から浮いている場合はロックアーム７により導通検査部５が、挟持体３、４で挟持された雌コネクタ本体２へ近付かないようロックする設定となっている。
【０００５】
【発明が解決しようとする課題】
上記した導通検査治具１では、図１０に示すように、雌コネクタ本体２に操作用レバー９を取り付けた後では、操作用レバー９がスペーサ１０の上に位置するためスペーサ１０の状態を検知することができず、雌コネクタ本体２の導通検査を行った後に、別途レバー取付用治具を用いて操作用レバー９を取り付ける作業が必要であった。このため、工程数や治具の数が増加して生産性を低下させるという問題点があった。また、このような導通検査治具１に、操作用レバー９を取り付けるための機能を付加しようとすると、位置固定されたスペーサ浮き検知部６が操作用レバー９の取り付けの邪魔となるため実現が困難であった。
【０００６】
そこで、本発明は、コネクタ本体へ操作用レバーを取り付けることが可能な、工程数を削減できる導通検査治具を提供することを目的としている。
【０００７】
【課題を解決するための手段】
請求項１記載の発明は、導通検査が施されるコネクタ本体を保持するコネクタ保持部と、前記コネクタ本体に接続される導通検査用端子が配された検査用ブロックとが相対的に近接移動及び離間移動が可能に設けられると共に、前記コネクタ本体内に収容される端子金具を保持し且つ前記コネクタ本体の側面から埋設された係止用スペーサの、前記コネクタ本体の前記側面からの浮き状態を検知するスペーサ浮き検知部を備えたレバー嵌合式コネクタの導通検査治具であって、前記コネクタ保持部は、前記コネクタ本体を保持する保持フレームと、前記保持フレーム内で互いに対向するように配置され且つ間に前記コネクタ本体が配置される一対の当接部材とを備え、前記一対の当接部材の少なくとも一方の前記コネクタ本体と当接する面に前記スペーサ浮き検知部が配設され、前記一対の当接部材は、前記コネクタ本体が前記保持フレームに保持された状態で、前記コネクタ本体の側面に沿って操作用レバーを移動させて装着する際に、前記操作用レバーの移動を許容するように、前記保持フレームに対して相対的に移動可能に設けられていることを特徴とする。
【０００８】
このような構成の請求項１記載の発明では、コネクタ保持部でコネクタ本体を保持した状態で、一対の当接部材はコネクタ本体の両側面に当接する。少なくとも一方の当接部材に配設されたスペーサ浮き検知部は、コネクタ本体の側面に埋設された係止用スペーサがコネクタ本体の側面から浮いて（突出して）いるか否かを検知する。検査用ブロックの端面に配設された導通検査用端子は、検査用ブロックとコネクタ保持部とが相対的に近接することにより、コネクタ保持部に保持されたコネクタ本体内の端子金具と接続される。コネクタ保持部に保持されたコネクタ本体の側面に沿って操作用レバーを移動させると、これに伴って当接部材が操作用レバーの移動を許容するため、操作用レバーを当接部材に邪魔されることなく、コネクタ本体へ装着することが可能となる。
【０００９】
また、請求項２記載の発明は、請求項１記載のレバー嵌合式コネクタの導通検査治具であって、前記一対の当接部材は、前記コネクタ本体の側面に対して離間する方向に移動が許容されていることを特徴とする。
【００１０】
したがって、請求項２記載の発明では、請求項１記載の発明の作用に加えて、当接部材がコネクタ本体の側面から離れる方向へ移動可能として、当接部材とコネクタ本体の側面との間に操作用レバーを挿入することが可能となる。
【００１１】
さらに、請求項３記載の発明は、請求項２記載のレバー嵌合式コネクタの導通検査治具であって、前記一対の当接部材は、互いに近接する方向へ常時付勢されていることを特徴とする。
【００１２】
したがって、請求項３記載の発明では、請求項２記載の発明の作用に加えて、当接部材が互いに近接方向へ常時付勢されているため、コネクタ本体をコネクタ保持部から取り外し、再度、コネクタ本体をコネクタ保持部へ保持したときに、コネクタ本体の側面に当接部材を自動的に当接させることが可能となり、コネクタ本体の装着操作や取り出し操作を容易にすることができる。
【００１３】
また、請求項４記載の発明は、請求項２又は請求項３に記載のレバー嵌合式コネクタの導通検査治具であって、前記一対の当接部材のそれぞれの上部に、当該一対の当接部材間に前記コネクタ本体を案内するテーパ面が形成されていることを特徴とする。
【００１４】
したがって、請求項４記載の発明では、請求項２及び請求項３に記載の発明の作用に加えて、当接部材の上部に形成したテーパ面でコネクタ本体を案内するため、コネクタ本体をコネクタ保持部材へ容易に装着することができる。加えて、操作用レバーをコネクタ本体の側面に沿って挿入する場合も、テーパ面が操作用レバーを案内する作用を有する。このため、操作用レバーの装着操作が容易になる。
【００１５】
請求項５記載の発明は、請求項１記載のレバー嵌合式コネクタの導通検査治具であって、前記一対の当接部材は、前記コネクタ本体の側面に沿う方向の移動が許容されていることを特徴とする。
【００１６】
このような構成の請求項５記載の発明では、請求項１記載の発明の作用に加えて、一対の当接部材をコネクタ本体の側面に沿う方向へ移動させることができるため、操作用レバーで当接部材を押し出す動作を行うことで、操作用レバーをコネクタ本体へ装着することが可能となる。このため、操作用レバーの装着操作が容易になる。
【００１７】
また、請求項６記載の発明は、請求項５記載のレバー嵌合式コネクタの導通検査治具であって、前記一対の当接部材は、前記コネクタ保持部に対して昇降移動を行い、常時上方へ向けて付勢されていることを特徴とする。
【００１８】
したがって、請求項６記載の発明では、請求項５記載の発明の作用に加えて、当接部材が常時上方へ付勢されているため、操作用レバーを装着する際に、一旦下降した当接部材が、操作用レバーが装着されたコネクタ本体をコネクタ保持部から取り除くことで、再度上昇して次のコネクタ本体の処理を円滑に行うことが可能になる。このため、導通検査治具を用いた操作用レバーの装着動作を容易にすることができる。
【００１９】
さらに、請求項７記載の発明は、請求項１乃至請求項６のいずれかに記載のレバー嵌合式コネクタの導通検査治具であって、前記コネクタ保持部に、前記スペーサ浮き検知部に連動するロックアームが前記検査用ブロック側へ向けて突設され、前記スペーサ浮き検知部で前記スペーサの浮き状態が検知されたときに前記ロックアームが前記検査用ブロック側に係当して当該検査用ブロックと前記コネクタ保持部とが互いにロックされることを特徴とする。
【００２０】
したがって、請求項７記載の発明では、請求項１〜請求項６に記載の発明の作用に加えて、コネクタ本体の側面に係止用スペーサが浮いている状態で、ロックアームがコネクタ保持と検査用ブロックとの近接を阻止するため、コネクタ保持部に保持されたコネクタ本体に検査用ブロックの導通検査用端子が誤って当接して、導通検査用端子が損傷するのを防止できる。
【００２１】
また、請求項８記載の発明は、請求項５又は請求項６に記載のレバー嵌合式コネクタの導通検査治具であって、前記一対の当接部材は一体的に連結され、前記コネクタ保持部と前記検査用ブロックとが離間した状態で、前記一対の当接部材を前記保持フレームへロックするロック部材を備え、前記ロック部材は、前記コネクタ保持部と前記検査用ブロックとが近接した状態で前記当接部材を解放することを特徴とする。
【００２２】
したがって、請求項８記載の発明は、請求項５又は請求項６に記載の発明の作用に加えて、当接部材をロックするロック部材が、コネクタ保持部と検査用ブロックとが近接することによってロック解除されて当接部材の移動を可能にする。このため、請求項８記載の発明では、コネクタ保持部と検査用ブロックとが近接してコネクタ本体の導通試験を行い、コネクタ本体に電気的不良がない場合に操作用レバーを装着すればよく、導通試験が可能な状態以前の状態、すなわちコネクタ保持部にコネクタ本体を保持した初期状態では操作用レバーが装着することができないようになっている。このため、電気的に良否の判別されていないコネクタ本体へ操作用レバーを装着してしまうという無駄が発生するのを防止できる。
【００２３】
【発明の実施の形態】
以下、本発明に係るレバー嵌合式コネクタの導通検査治具の詳細を図面に示す実施形態に基づいて説明する。なお、各実施形態においてレバー嵌合式コネクタの雌コネクタ本体及び操作用レバーは、従来のものと同一の構成であるため、上記した雌コネクタ本体及び操作用レバーと同一の符号を付してその説明を省略する。
【００２４】
（実施形態１）
図１は本発明のレバー嵌合式コネクタの導通検査治具の実施形態１を示す斜視図である。同図に示すように、導通検査治具２０は、基体２１にコネクタ保持部２２と検査用ブロック２３とが設けられてなる。
【００２５】
基体２１は、対向する一対の側板２４、２４と、これら側板２４、２４の前端縁同士を連結する前板２５と、側板２４、２４の下縁同士を連結する底板２６とが一体的に形成されている。一方の側板２４には、回動自在の回転軸２７が貫通して設けられている。この回転軸２７における側板２４より外側に位置する端部には、操作用ロッド２８が軸方向と直角をなすように固設されている。また、回転軸２７における側板２４より内側に位置する端部には、偏心カム２９が固設されており、操作用ロッド２８を回動させることにより、偏心カム２９が回動して検査用ブロック２３を前後に移動させるようになっている。
【００２６】
コネクタ保持部２２は、側板２４、２４の後端部同士で挟持された状態で側板２４、２４に固定された略四角筒形状の保持フレーム３０と、この保持フレーム３０内に互いに対向するように配置された一対の当接ブロック３１、３２とを備えている。
【００２７】
保持フレーム３０は、前後の側壁の幅方向の中央に上下方向にスリット３０Ａ、３０Ａが形成されている。このスリット３０Ａの幅寸法は、雌コネクタ本体２の両側面間の寸法と略同様であり、雌コネクタ本体２をスリット３０Ａ、３０Ａに挿入できるように設定されている。また、スリット３０Ａの上下方向の長さ寸法は、雌コネクタ本体２の長さ寸法と同程度の長さ寸法である。さらに、スリット３０Ａ、３０Ａの下縁同士は、コネクタ載置板３０Ｂで連結されている。このコネクタ載置板３０Ｂの上には、スリット３０Ａ、３０Ａに挿入された雌コネクタ本体２が載置される。また、保持フレーム３０の前面と基体２１の前板２５との間には、一対の平行なガイドロッド３３、３３と１本のガイドロッド３３Ａが架設されている。なお、これらガイドロッド３３、３３、３３Ａは、上記した検査用ブロック２３を貫通している。なお、検査用ブロック２３は、ガイドロッド３３、３３Ａに対してスライドするようになっている。
【００２８】
当接ブロック３１、３２は、保持フレーム３０内に収納され且つ幅方向の両側に位置するように配置されている。また、それぞれの当接ブロック３１、３２は、幅方向に移動可能となるようにスプリング３４、３４で対向内側方向へ向けて付勢されている。なお、当接ブロック３１、３２の対向面同士は、通常、雌コネクタ本体２の幅寸法となるように設定されている。一方の当接ブロック３２の対向面には、スペーサ浮き検知部３５が設けられている。また、当接ブロック３１、３２の上部には、雌コネクタ本体２を案内するためのテーパ面３１Ａ、３２Ａが形成されている。そして、当接ブロック３１、３２の対向面には、雌コネクタ本体２の枢支軸２Ａが案内される溝部３１Ｂ、３２Ｂ（図１では３１Ｂのみを示す）が上下方向に形成されている。
【００２９】
また、当接ブロック３２には、スペーサ浮き検知部３５の検知結果に応じて幅方向に変位するロックアーム３６が連結されている。ロックアーム３６は、検査用ブロック２３側に向けて突出するように設けられている。なお、ロックアーム３６は、図１に示すように、保持フレーム３０側に対して、支持軸３６Ａ、３６Ａを枢支軸として支持され、スペーサ浮き検知部３５が幅方向外側へ押された場合に、ロックアーム３６の先端が段部３８と係当可能となる位置に移動して検査用ブロック２３がコネクタ保持部２２側へ移動するのを阻止する。一方、スペーサ浮き検知部３５が幅方向外側へ押されない場合には、ロックアーム３６の先端が段部３８と係当しないように幅方向外側に位置するように設定されている。
【００３０】
検査用ブロック２３は、コネクタ保持部２２の前面に平行をなす検査用端面２３Ａを有している。この検査用端面２３Ａには、コネクタ保持部２２に保持された雌コネクタ本体２の端子配列に対応する位置に導通検査用端子３７が突設されている。また、検査用ブロック２３の側部には、コネクタ保持部２２から突設されたロックアーム３６が係当し得る段部３８が形成されている。さらに、検査用ブロック２３とコネクタ保持部２２との間のガイドロッド３３、３３、３３Ａには、スプリング３９がそれぞれ嵌合するように設けられている。通常、スプリング３９は、検査用ブロック２３をコネクタ保持部２２から所定距離だけ離間させるように作用している。また、側板２４に軸装された回転軸２７に設けられた偏心カム２９は、図１の状態にある操作用ロッド２８を反時計回り方向へ回動させることにより、検査用ブロック２３をコネクタ保持部２２に向けて移動させる作用を有している。
【００３１】
以上、実施形態１の導通検査治具２０の構成について説明したが、次に作用・動作について説明する。まず、図１に示すように、コネクタ保持部２２に雌コネクタ本体２を装着する。雌コネクタ本体２の端子結合面側を検査用ブロック２３側へ向けて、当接ブロック３１、３２間に挿入する。このとき、雌コネクタ本体２は、当接ブロック３１、３２の上部に形成されたテーパ面３１Ａ、３２Ａを滑って挿入され、最終的にコネクタ載置板３０Ｂに雌コネクタ本体２の端面が当接する。
【００３２】
この状態で、当接ブロック３２に設けられたスペーサ浮き検知部３５により、雌コネクタ本体２の側面に埋設されたスペーサ１０の浮き状態が検知される。この検知の結果、図３に示すように、スペーサ１０が浮き状態にある場合はロックアーム３６の端部が検査用ブロック２３の段部３８に係当し得る位置に移動する。したがって、操作用ロッド２８を回動して検査用ブロック２３をコネクタ保持部２２側へ移動させても、ロックアーム３６の先端が段部３８に当接して検査用ブロック２３の移動が阻止される。この結果、検査用ブロック２３の検査用端面２３Ａに突設された導通検査用端子３７は雌コネクタ本体２の接続面に挿入されることはなく、適正な状態にない雌コネクタ本体２の接続端面に導通検査用端子３７が当接して導通検査用端子３７が損傷されることが防止できる。このように、スペーサ１０の浮き状態が検知された場合は、雌コネクタ本体２をコネクタ保持部２２から取り出して、スペーサ１０を適正に挿入し直せばよい。
【００３３】
また、図２に示すように、雌コネクタ本体２の側面にスペーサ１０が面一となるように適正に埋設されている場合は、スペーサ浮き検知部３５の検知結果に応じて、ロックアーム３６の先端が幅方向外側へ移動して、検査用ブロック２３の段部３８と係当しない位置にある。このため、操作用ロッド２８を駆動して検査用ブロック２３をコネクタ保持部２２側向けて移動させることができる。そして、検査用ブロック２３の検査用端面２３Ａに突設された導通検査用端子３７は、雌コネクタ本体２のそれぞれの雌端子金具内に挿入することができる。この状態で、導通試験を行って、雌コネクタ本体２側に電気的不具合がないかどうかを判定することができる。
【００３４】
そして、雌コネクタ本体２に電気的不具合がない場合には、図１に示すように、操作用レバー９を当接ブロック３１、３２の上方から下方に向けて挿入する。このとき、当接ブロック３１、３２の上部には、テーパ面３１Ａ、３２Ａが形成されているため、操作用レバー９の壁部９Ａ、９Ａの先端は当接ブロックと雌コネクタ本体２の側面との間に案内される。このとき、壁部９Ａの挿入に伴い当接ブロック３１、３２は、幅方向外側へスプリング３４、３４の反発力に抗して後退する。さらに、操作用レバー９を下降させると、図４に示すように、壁部９Ａの端部が枢支軸２Ａを乗り越えて壁部９Ａに開口された軸孔９Ｂに枢支軸２Ａが入り込んで操作用レバー９の装着が完了する。
【００３５】
本実施形態１では、雌コネクタ本体２をコネクタ保持部２２へ保持した状態で操作用レバー９を容易に装着することができる。このため、導通検査のための治具の他に、操作用レバー９を装着するための治具が必要なく、工程数や治具の数を削減することができる。このため、本実施形態によれば、レバー嵌合式コネクタの生産性を高めることができる。
【００３６】
（実施形態２）
図５は本発明に係る導通検査治具の実施形態２を示す斜視図である。本実施形態２の導通検査治具は、当接ブロック３１、３２が下部で一体に設けられ、当接ブロック３１、３２が保持フレーム３０に対して昇降可能に設けられたものである。なお、本実施形態の導通検査治具２０の他の構成は、上記した実施形態１と略同様であるため、同一の符号を付してその説明を省略する。
【００３７】
本実施形態２の導通検査治具２０は、コネクタ保持部２２の保持フレーム３０に収納されている当接ブロック３１、３２の下部が、コネクタ載置板３０Ｂの下で、連結ブロック４０を介して一体的に形成されている。すなわち、当接ブロック３１、３２が、下方から上方へコネクタ載置板３０Ｂを跨ぐように配置されている。このため、連結ブロック４０がコネクタ載置板３０Ｂに当接した位置が当接ブロック３１、３２の上限位置となる。また、連結ブロック４０の下部には、連結ブロック４０と共に昇降する昇降ロッド４１が上下方向に向けて形成されている。また、昇降ロッド４１には、下端部が図示しない基台側に固定されたスプリング４２が嵌合されており、連結ブロック４０と一体の当接ブロック３１、３２が保持フレーム３０の所定位置（上限位置）に位置するように付勢されている。
【００３８】
また、本実施形態２においては、雌コネクタ本体２のそれぞれのスペーサ１０に対応するように、当接ブロック３２に３つのスペーサ浮き検知部３５が上下方向に間欠的に配設されている。また、これら３のスペーサ浮き検知部３５のそれぞれに連動するロックアーム３６が設けられている。
【００３９】
さらに、当接ブロック３２の前面の中間部には、図６に示すように、保持フレーム３０の前面側に枢支されたロック片４３に係当する係当段部３２Ｃが形成されている。なお、ロック片４３は、検査用ブロック２３の検査用端面２３Ａと当接することにより、前記係当段部３２Ｃから外れて当接ブロック３２の下降動作を可能にしている。すなわち、ロック片４３は、保持フレーム３０の前端面（雌コネクタ本体２の接続端面）と検査用ブロック２３の検査用端面２３Ａとが当接した状態で前端面より後方に位置して、当接ブロック３２の下降を許容する。このため、ロック片４３と当接ブロック３２の係当段部３２Ｃとの係当が外れた状態、すなわち、検査用ブロック２３がコネクタ保持部２２に近接して導通検査用端子３７が雌コネクタ本体２に挿入された導通可能状態において図７に示すように操作用レバー９を装着することが可能となる。
【００４０】
本実施形態２では、当接ブロック３１、３２の上部にテーパ面がなく、雌コネクタ本体２をコネクタ保持部２２で保持した状態で、上方から操作用レバー９を雌コネクタ本体２を挟むように下降させると、操作用レバー９の壁部９Ａの先端が当接ブロック３１、３２の上部に当接して、当接ブロック３１、３２を下方に押し出す。すなわち、当接ブロック３１、３２及びこれらと一体的に設けられた連結ブロック４０は、スプリング４２の反発力に抗して下降して、操作用レバー９の壁部９Ａが雌コネクタ本体２の側面に沿って下降するのを許容する。このようにして、操作用レバー９は雌コネクタ本体２に装着することができる。なお、本実施形態２における他の作用・動作は、上記した実施形態１と略同様である。
【００４１】
以上、実施形態１及び実施形態２について説明したが、本発明はこれらに限定されるものではなく、構成の要旨に付随する各種の変更が可能である。
【００４２】
例えば、上記した実施形態１及び実施形態２においては、導通試験及び操作用レバー９を装着する対象が雌コネクタ本体２であるが、同様の操作用レバーが装着される雄コネクタであってもよい。また、スペーサ浮き検知部３５の構成は、メカニカルな構成の他、光学的にスペーサ１０の浮き状態を検知する手段など各種の浮きを検知する手段を適用することができる。
【００４３】
【発明の効果】
以上の説明から明らかなように、請求項１記載の発明によれば、コネクタ保持部に保持されたコネクタ本体の側面に沿って操作用レバーを移動させて、操作用レバーを当接部材に邪魔されることなく、コネクタ本体へ円滑に装着することができる。このように、請求項１記載の発明によれば、導通検査治具で、コネクタ本体の導通試験と、係止用スペーサの浮き状態の検知と、操作用レバーの装着とを効率的に行うことができ、レバー嵌合式コネクタの生産性を向上させることができる。
【００４４】
請求項２記載の発明によれば、請求項１記載の発明の効果に加えて、当接部材がコネクタ本体の側面から離れる方向へ移動可能として、当接部材とコネクタ本体の側面との間に操作用レバーを容易に挿入できる。このため、コネクタ本体に操作用レバーを装着する際に、特に熟練を要することを必要とせず、操作用レバーの装着作業を迅速に行えるという利点がある。
【００４５】
請求項３記載の発明によれば、請求項２記載の発明の効果に加えて、当接部材が互いに近接方向へ常時付勢されているため、コネクタ本体をコネクタ保持部から取り外し、再度、コネクタ本体をコネクタ保持部へ保持したときに、コネクタ本体の側面に当接部材を自動的に当接させることが可能となり、コネクタ本体の装着操作や取り出し操作を容易にする効果がある。
【００４６】
請求項４記載の発明によれば、請求項２及び請求項３に記載の発明の効果に加えて、当接部材の上部に形成したテーパ面でコネクタ本体を案内するため、コネクタ本体をコネクタ保持部材へ容易に装着することができる。加えて、操作用レバーをコネクタ本体の側面に沿って挿入する場合も、テーパ面が操作用レバーを案内できるため、操作用レバーの装着操作も容易に行えるという効果がある。
【００４７】
請求項５記載の発明によれば、請求項１記載の発明の効果に加えて、操作用レバーで当接部材を押し出す動作を行うことで、操作用レバーをコネクタ本体へ装着でき、操作用レバーの装着作業を容易にする効果がある。
【００４８】
請求項６記載の発明によれば、請求項５記載の発明の効果に加えて、当接部材が常時上方へ付勢されているため、操作用レバーを装着する際に、一旦下降した当接部材が、操作用レバーが装着されたコネクタ本体をコネクタ保持部から取り除くことで、再度上昇して次のコネクタ本体の処理を円滑に行うことが可能になる。このため、導通検査治具を用いた操作用レバーの装着動作を容易にする効果がある。
【００４９】
請求項７記載の発明によれば、請求項１〜請求項６に記載の発明の効果に加えて、コネクタ本体の側面に係止用スペーサが浮いている状態で、ロックアームがコネクタ保持と検査用ブロックとの近接を阻止するため、コネクタ保持部に保持されたコネクタ本体に検査用ブロックの導通検査用端子が誤って当接して、導通検査用端子が損傷するのを防止する効果がある。
【００５０】
請求項８記載の発明は、請求項５又は請求項６に記載の発明の効果に加えて、コネクタ保持部と検査用ブロックとが近接してコネクタ本体の導通試験を行い、コネクタ本体に電気的不良がない場合に操作用レバーを装着すればよく、導通試験が可能な状態以前の状態、すなわちコネクタ保持部にコネクタ本体を保持した初期状態では操作用レバーが装着することができないようになっている。このため、電気的に良否の判別されていないコネクタ本体へ操作用レバーを装着してしまうという無駄が発生するのを防止する効果がある。
【図面の簡単な説明】
【図１】本発明に係る導通検査治具の実施形態１を示す斜視図である。
【図２】実施形態１の要部平面説明図である。
【図３】実施形態１の要部平面説明図である。
【図４】実施形態１のコネクタ保持部の断面説明図である。
【図５】本発明に係る導通検査治具の実施形態２を示す斜視図である。
【図６】実施形態２の要部側面説明図である。
【図７】実施形態２の要部側面説明図である。
【図８】従来の導通検査治具の斜視図である。
【図９】レバー嵌合式コネクタの分解斜視図である。
【図１０】レバー嵌合コネクタの雌コネクタの要部断面説明図である。
【符号の説明】
２  雌コネクタ本体
９  操作用レバー
１０  スペーサ（係止用スペーサ）
２０  導通検査治具
２２  コネクタ保持部
２３  検査用ブロック
３０  保持フレーム
３０Ｂ  コネクタ載置板
３１、３２  当接ブロック（当接部材）
３４  スプリング
３５  スペーサ浮き検知部
３６  ロックアーム
３７  導通検査用端子
３８  段部（検査用ブロック側）
３９  スプリング
４３  ロック片（ロック部材）
【図１】
0003730456.tif 000002
【図２】
0003730456.tif 000003
【図３】
0003730456.tif 000004
【図４】
0003730456.tif 000005
【図５】
0003730456.tif 000006
【図６】
0003730456.tif 000007
【図７】
0003730456.tif 000008
【図８】
0003730456.tif 000009
【図９】
0003730456.tif 000010
【図１０】
0003730456.tif 000011